(57)【要約】      （修正有）【課題】複数のワイングラスを収納することができるとともに、ワイングラスの転倒または落下を防止することができるグラスホルダーを提供する。【解決手段】複数のワイングラスを保持するグラスホルダー１００であって、内部に空間を有するケース１０と、該ケース１０の上面に形成される複数のスリット２０と、ケース１０の一部の側面に形成される開口部３０とから構成され、複数のスリット２０は、枝分かれ状に連通して形成されている。【選択図】図１
0003210400.tif 000002
【実用新案登録請求の範囲】
【請求項１】
複数のワイングラスを保持するグラスホルダーであって、
内部に空間を有するケースと、
該ケースの上面に形成される複数のスリットと、
前記ケースの一部の側面に形成される開口部とから構成され、
前記複数のスリットは、枝分かれ状に連通して形成されていることを特徴とするグラスホルダー。
【請求項２】
前記複数のスリットは、それぞれ直線状のスリットである直線部と、該直線部の端部から枝分かれして形成される枝分かれ部とで略Ｙ字状に形成されていることを特徴とする請求項１記載のグラスホルダー。
【請求項３】
前記複数のスリットは、前記ワイングラスの脚部が通過することができる程度の幅を有することを特徴とする請求項１または２記載のグラスホルダー。
【請求項４】
前記スリットの前記枝分かれ部の端部には、前記スリットの幅よりも広く円形状に形成された孔が設けられていることを特徴とする請求項１から３のいずれか１項に記載のグラスホルダー。
【請求項５】
前記ケースの裏面には、複数の滑り止めが貼着されていることを特徴とする請求項１記載のグラスホルダー。
【考案の詳細な説明】
【技術分野】
【０００１】
本考案は、グラスホルダーに関し、特に、複数のワイングラスを保持しつつ、ワイングラスの転倒や落下を防止することができるグラスホルダーに関する。
【背景技術】
【０００２】
従来から、ワイングラスを取り扱う店舗では、多くのワイングラスを陳列棚に陳列しており、また、家庭においては食器棚に収納しているが、このような店舗や家庭においては、地震等の揺れによる転倒や、横滑りあるいは落下に対して特別に対策を取っているところが少ない。このため、地震による揺れによって、ワイングラスが転倒したり横滑りしたりして破損してしまい多大な損害を被ってしまう。
【０００３】
このような転倒や落下を防止する対策として、特許文献１に示すようなものがある。この特許文献１には、コップや湯飲み茶碗の下に敷くコースタであって、コースタの上面に自己粘着性を有する樹脂が設けられており、この樹脂の上にコップや湯飲み茶碗を載せるとかるく固定された状態となって揺れに強くなり簡単に倒れなくなるコースタが記載されている。
【０００４】
また、特許文献２に示すようなものも提案されている。この特許文献２には、ワイングラスの台座部分を保持するとともに載置面に対して吸着することでワイングラスの転倒を防止する耐震固定具が記載されている。
【先行技術文献】
【特許文献】
【０００５】
【特許文献１】実開平０７−０２３４８０号公報
【特許文献２】実用新案登録３０７５３０７号公報
【考案の概要】
【考案が解決しようとする課題】
【０００６】
しかしながら、特許文献１及び特許文献２に記載されているコースタや耐震固定具は、陳列するワイングラスの数だけ用意する必要があるためコストがかかってしまうほか、地震の揺れに対して不十分であって、転倒や落下を防止することは困難である。
【０００７】
本考案は、かかる問題に鑑みてなされたものであって、複数のワイングラスを収納することができ、ワイングラスの転倒または落下を防止することができるグラスホルダーを提供することを目的とする。
【課題を解決するための手段】
【０００８】
上記目的を達成するために、本考案のグラスホルダーは、複数のワイングラスを保持するグラスホルダーであって、内部に空間を有するケースと、該ケースの上面に形成される複数のスリットと、前記ケースの一部の側面に形成される開口部とから構成され、前記複数のスリットは、枝分かれ状に連通して形成されていることを特徴とする。
【０００９】
以上の構成において、前記複数のスリットは、それぞれ直線状のスリットである直線部と、該直線部の端部から枝分かれして形成される枝分かれ部とで略Ｙ字状に形成されていることを特徴とする。
【００１０】
また、前記複数のスリットは、前記ワイングラスの脚部が通過することができる程度の幅を有することを特徴とする。
【００１１】
また、前記スリットの前記枝分かれ部の端部には、前記スリットの幅よりも広く円形状に形成された孔が設けられていることを特徴とする。
【００１２】
また、前記ケースの裏面には、複数の滑り止めが貼着されていることを特徴とする。
【考案の効果】
【００１３】
本考案によれば、複数のワイングラスを保持するグラスホルダーであって、内部に空間を有するケースと、該ケースの上面に形成される複数のスリットと、前記ケースの一部の側面に形成される開口部とから構成され、前記複数のスリットは、枝分かれ状に連通して形成したので、ワイングラスの脚部をスリット内で保持することができ、ワイングラスの転倒や横滑り、落下を防止することができる。
また、複数のワイングラスをスリットに通すことで、複数のワイングラスを保持することができ、複数のワイングラスを保持させた状態でケースを持ち運びすることも可能であることから、配膳時でも便利であり、また、配膳時のワイングラスの転倒等を防止することができる。
【図面の簡単な説明】
【００１４】
【図１】グラスホルダーの構成を示した斜視図である。
【図２】グラスホルダーにグラスを収納した状態を示した図である。
【図３】図３（ａ）は、グラスホルダーの上面を示した図であり、図３（ｂ）は、スリットの他の形状を示した図である。
【図４】グラスホルダーの側面を示した図である。
【図５】グラスホルダーの底面を示した図である。
【図６】グラスホルダーに複数のグラスを収納した状態を示した図である。
【考案を実施するための形態】
【００１５】
次に、図面を参照して本実施形態に係るグラスホルダーについて説明する。
図１は、グラスホルダーの構成を示した斜視図であり、図２は、グラスホルダーにグラスを収納した状態を示した図であり、図３（ａ）は、グラスホルダーの上面を示した図であり、図３（ｂ）は、スリットの他の形状を示した図であり、図４は、グラスホルダーの側面を示した図である。
【００１６】
図１に示すように、グラスホルダー１００は、内部に空間を有する略直方体のケース１０から構成されており、ケース１０は、例えば、アクリルなどの合成樹脂や木製などで構成されている。ケース１０の上面にはスリット２０が形成され、側面の一部にはスリット２０と連通した開口部３０が形成されている。
【００１７】
図２に示すように、ワイングラス２００は、一般に、カップ部２０１と、カップ部２０１から突設された脚部２０２と、脚部２０２の端部に形成される断面略逆Ｔ字状の台座部２０３とから構成されているが、この脚部２０２をスリット２０に挿通することにより、ワイングラス２００をグラスホルダー１００に収納することができる。
【００１８】
このワイングラス２００をグラスホルダー１００に収納するためには、ワイングラス２００の台座部２０３をケース１０の開口部３０に差し込みながら、脚部２０２をスリット２０に挿通させ、ワイングラス２００本体をスリット２０の形状に沿って、スリット２０の終点までスライドさせる。
【００１９】
このようにして、脚部２０２がスリット２０で保持されるため、ワイングラス２００の転倒や落下を防止することができる。
【００２０】
図３（ａ）に示すように、スリット２０は、略Ｙ字形状の複数のスリット２１から構成されている。複数のスリット２１は、それぞれ直線部２１ａと、直線部２１ａの端部から二股に分かれる枝分かれ部２１ｂからなり、それぞれが連設される構成となっている。
【００２１】
複数のスリット２１の直線部２１ａ及び枝分かれ部２１ｂの幅は、ワイングラス２００の脚部２０２が通過することができる程度の幅を有している。また、枝分かれ部２１ｂは、脚部２０２が滑らかに通過することができるように所定の曲率を有して曲線状に形成されている。
【００２２】
なお、図３（ｂ）に示すように、スリット２１の枝分かれ部２１ｂの端部に枝分かれ部２１ｂの幅よりも大きく円形にくり抜かれた孔２１ｃを設け、これと連設する構成としてもよい。
【００２３】
このように構成すると、ワイングラス２００の脚部２０２をスリット２１に通し、枝分かれ部２１ｂの端部の孔２１ｃに脚部２０２が収まり、仮に、地震等の揺れによってワイングラス２００が横滑りしたとしても、脚部２０２が孔２１ｃ内に収まった状態を保持することができ、枝分かれ部２１ｂの方へスライドして、他のワイングラスと接触したりすることを防止することができる。
【００２４】
なお、スリット２０の形状は、ケース１０に複数のワイングラス２００を収納することができ、ワイングラス２００をケース１０へ収納しやすくまたは取り出しやすい形状であれば、特に図示した略Ｙ字形状に限定されることはない。
【００２５】
ワイングラス２００には、カップ部２０１の大きさや形状が異なる複数種類があることから、複数のワイングラス２００をグラスホルダー１００に収納した際に、隣り合うワイングラス２００が接触しないように、直線部２０ａの長さを長くしたり、枝分かれ部２０ｂの幅を広くしたりすることも可能であって、それに合わせてケース１０本体の大きさも変更することは可能である。
【００２６】
開口部３０は、図４に示すように、ワイングラス２００の台座部２０３の断面形状と相似的な形状で、台座部２０３を差し込むことができるように台座部２０３より大きく開口した形状に形成されている。この開口部３０は、収納するワイングラス２００の台座部２０３の形状によって、異なってもよい。
【００２７】
また、図５に示すようにケース１０の裏面の四隅には、滑り止めの機能を有するゴム材料で構成された複数の滑り止めシート４０が貼着されている。なお、貼着する滑り止めシート４０の個数や貼着する場所については特に限定はされない。
【００２８】
ケース１０の裏面に滑り止めシート４０を貼着することで、ケース１０を例えば、食器棚やテーブルの天板に載置したときに、地震による揺れによってケース１０自体も食器棚や天板から動かず、ワイングラス２００の転倒や落下を防止することが可能となる。
【００２９】
図６は、グラスホルダーに複数のワイングラスを収納した状態を示した図である。
図示するように、複数のワイングラス２００のそれぞれをグラスホルダー１００のスリット２０の端部まで挿通しスライドさせることによって収納することができる。
【００３０】
このような状態のまま、例えば、店舗の陳列台や家庭での食器棚に載置することができ、地震等の揺れによる転倒や横滑り、落下を防止することができる。
【００３１】
また、複数のワイングラス２００を収納した状態でグラスホルダー１００を持ち運ぶことができることから、配膳したりテーブルの天板に載置したりする際にでもワイングラスの転倒や落下を防止することができる。
【００３２】
また、前述したように、収納したワイングラス２００の本数に応じたケース１０の大きさやスリット２０の数を増減させることは可能である。
【００３３】
このように、本考案の実施形態によれば、グラスホルダーは、ワイングラスの脚部をスリットに通すことでワイングラスがスリット内で保持されるため、地震等の揺れによる転倒を防止することができる。
【００３４】
また、グラスホルダーに複数のワイングラスを収納したときに、スリットが所定の間隔を有しているため、揺れによってワイングラスのカップ部が接触して破損することを防止することができる。
【００３５】
また、グラスホルダー本体の裏面には滑り止めシートが貼着されており、陳列棚や食器棚に載置した際に、グラスホルダー本体が揺れによって横滑りすることを防止している。
【００３６】
さらに、グラスホルダーは複数のワイングラスを収納した状態で持ち運ぶことができるため、配膳する際にもワイングラスの転倒や落下を防止することができる。
【符号の説明】
【００３７】
１０    ケース
２０    スリット
３０    開口部
４０    貼着シート
１００  グラスホルダー
２００    ワイングラス
【図１】
0003210400.tif 000003
【図２】
0003210400.tif 000004
【図３】
0003210400.tif 000005
【図４】
0003210400.tif 000006
【図５】
0003210400.tif 000007
【図６】
0003210400.tif 000008